(57)【要約】      （修正有）【課題】甲被内側の側面に着脱自在に装着できる靴用インナーパッドを提供する。【解決手段】靴Ａの踵部内面Ａ１に装着する靴用インナーパッド１において、撓み変形可能なクッション性を有するパッド本体２と、弾性変形すると共に、弾性変形から元の形状に復帰する弾性を有する板状弾性部材３と、踵部内面Ａ１と対面するパッド本体２の一端面に配され、踵部内面Ａ１に備えられた被掛合体６に掛脱自在に掛合する複数の掛合体４０と、を備え、板状弾性部材３は、板状弾性部材３の厚み方向の面が、パッド本体２の厚み方向の面に重なり合うように配置されている。【選択図】図１
0003183274.tif 000002
【実用新案登録請求の範囲】
【請求項１】
靴の踵部内面に装着する靴用インナーパッドにおいて、
撓み変形可能なクッション性を有するパッド本体と、
弾性変形すると共に、弾性変形から元の形状に復帰する弾性を有する板状弾性部材と、
前記踵部内面と対面する前記パッド本体の一端面に配され、前記踵部内面に備えられた被掛合体に掛脱自在に掛合する複数の掛合体と、
を備え、
前記板状弾性部材は、該板状弾性部材の厚み方向の面が、前記パッド本体の厚み方向の面に重なり合うように配置されていることを特徴とする靴用インナーパッド。
【請求項２】
前記板状弾性部材が、前記パッド本体の前記一端面に配置されていることを特徴とする請求項１記載の靴用インナーパッド。
【請求項３】
前記板状弾性部材が、前記パッド本体における前記靴の履き口側に配置されていることを特徴とする請求項１又は２記載の靴用インナーパッド。
【請求項４】
前記板状弾性部材が、前記パッド本体に取付けられ、該パッド本体の撓み変形に伴って変形する柔軟性を有する被覆部材によって被覆されていることを特徴とする請求項１乃至３いずれか１項記載の靴用インナーパッド。
【請求項５】
前記掛合体が、前記パッド本体の全域又は一部に固着された雄側の面状ファスナであることを特徴とする請求項１乃至４いずれか１項記載の靴用インナーパッド。
【考案の詳細な説明】
【技術分野】
【０００１】
本考案は、甲被の内側の側面に着脱可能な機能を有する靴用インナーパッドに関する。
【背景技術】
【０００２】
靴用インナーパッドは、靴内に挿入することにより、靴のフィッティングが行えるものが知られている。下記特許文献１に記載のものは、足の踵と靴の踵部内面との隙間を調整する靴用インナーパッドであり、弾性体の表面に滑り止め材が設けられる一方、裏面には粘着材が設けられており、粘着材が設けられた裏面を踵部内面に貼り付けることで装着できるようになっている。
【先行技術文献】
【特許文献】
【０００３】
【特許文献１】特開２０００−２３７１３号公報
【考案の概要】
【考案が解決しようとする課題】
【０００４】
特許文献１の靴用インナーパッドによると、靴の踵部内面に弾性体の裏面を合わせるように折り曲げて装着することで、弾性体が靴内の足長に対する補正をすると共に、踵全体をなじませることができる。また、滑り止め材によって踵の滑りを防止しているので、歩行中の踵の靴ずれを防止することができる。また、弾性体の裏面に設けられた粘着材を介して、靴用インナーパッドが靴の踵部内面に装着されるので、靴を履いた際における靴用インナーパッドのずれを防止することができる。
【０００５】
しかしながら、特許文献１の従来技術は、靴用インナーパッドを装着する場合に、弾性体を靴の踵部内面の形状に沿うように折り曲げると共に、粘着材が設けられた裏面を靴の踵部内面に貼り付けるという作業を行うため、装着中の靴用インナーパッドが目的の位置からずれて貼り付けられた場合や、弾性体が折れ曲がった状態で貼り付けられた場合には、弾性体を一旦剥がし、位置の調整や弾性体の折れ曲がりを修正して、貼り直さなければならないという問題があった。
【０００６】
さらに、この弾性体は、柔軟で変形しやすいものであるため、靴の踵部内面の形状に沿うように折り曲げるときに「よれ」が生じやすく、この「よれ」が残ったまま、踵部内面に固着されてしまうと、靴を履いたときに「よれ」による靴擦れの発生や靴が履きづらくなる等が生じてしまうという問題もあった。
【０００７】
そして、弾性体を確実に装着するために、この弾性体を剥がして貼り直すという作業を何度か繰り返したとき、粘着材にほこりや手の油等が付着し、これによって、粘着材の粘着力を低下させてしまい、目的の位置に「よれ」や「折曲り」がなく貼り付けることができたとしても、歩行時に靴用インナーパッドのずれや剥離が生じるという問題もあった。
【０００８】
また、この靴用インナーパッドは、靴の踵部内面に粘着材によって固着するものであるため、靴毎に用意しなければならないものであり、複数の靴に対して使い回しできないものである。すなわち、サイズの調整を必要とする靴の数と同数用意しなければならないという問題もあった。
【０００９】
しかも、不特定多数の人が履く、スケート場等で貸し出されるレンタル靴の場合、返却時に靴用インナーパッドを取り外す必要があるため、靴の踵部内面に固着する靴用インナーパッドを使用することができないという問題もあった。
【００１０】
本考案は、このような問題に対処することを課題の一例とするものである。すなわち、靴の踵部内面の形状に合わせて貼り付けることが確実、且つ容易にできること、靴の踵部内面に対して装着状態の保持性能を低下させることなく何度も着脱できること、これによって、靴の踵部内面への靴用インナーパッドの装着を確実、且つ容易にできると共に、靴内での靴用インナーパッドのずれを防止できること、しかも、靴用インナーパッドの貼り直しを抑制できると共に、貼り直す場合にでも靴の踵部内面に対して確実に装着できること、その上、複数足の靴に対して１セットの靴用インナーパッドの使い回しができると共に、不特定多数の人が履くレンタル靴のような靴にも使用できること、等が本考案の目的である。
【課題を解決するための手段】
【００１１】
このような目的を達成するために、本考案による靴用インナーパッドは、以下の構成を少なくとも具備するものである。
【００１２】
靴の踵部内面に装着する靴用インナーパッドにおいて、撓み変形可能なクッション性を有するパッド本体と、弾性変形すると共に、弾性変形から元の形状に復帰する弾性を有する板状弾性部材と、前記踵部内面と対面する前記パッド本体の一端面に配され、前記踵部内面に備えられた被掛合体に掛脱自在に掛合する複数の掛合体と、を備え、前記板状弾性部材は、該板状弾性部材の厚み方向の面が、前記パッド本体の厚み方向の面に重なり合うように配置されていることを特徴とする靴用インナーパッドである。
【考案の効果】
【００１３】
このような特徴を有することで本考案は、以下の効果を奏する。すなわち、撓み変形可能なクッション性を有するパッド本体と、弾性変形すると共に、弾性変形から元の形状に復帰する弾性を有する板状弾性部材と、前記踵部内面と対面する前記パッド本体の一端面に配され、前記踵部内面に備えられた被掛合体に掛脱自在に掛合する複数の掛合体と、を備え、前記板状弾性部材は、該板状弾性部材の厚み方向の面が、前記パッド本体の厚み方向の面に重なり合うように配置されているので、靴の踵部内面の形状に合わせて貼り付けることが確実、且つ容易にできる。靴の踵部内面に対して装着状態の保持性能を低下させることなく何度も着脱できる。これによって、靴の踵部内面への靴用インナーパッドの装着を確実、且つ容易にできると共に、靴内での靴用インナーパッドのずれを防止できる。しかも、靴用インナーパッドの貼り直しを抑制できると共に、貼り直す場合にでも靴の踵部内面に対して確実に装着できる。その上、複数足の靴に対して１セットの靴用インナーパッドの使い回しができると共に、不特定多数の人が履くレンタル靴のような靴にも使用できる。
【図面の簡単な説明】
【００１４】
【図１】本考案に係る実施形態の靴用インナーパッドを靴に装着する状態を示す斜視図である。
【図２】本考案に係る実施形態の靴用インナーパッドの正面図である。
【図３】図２の背面図であり、一部切欠して示す。
【図４】図２の（４）−（４）線断面図である。
【考案を実施するための形態】
【００１５】
本考案でいう撓み変形可能なクッション性を有するパッド本体は、例えば、クロロプレン系発泡ゴム材、シリコン系発泡ゴム材、エチレンプロピレン系発泡ゴム材、エチレンプロピレンジエン系発泡ゴム材、ウレタン系発泡樹脂材等の軟質の合成樹脂材を用いたものが挙げられる。
【００１６】
本考案でいう弾性変形すると共に、弾性変形から元の形状に復帰する弾性を有する板状弾性部材は、例えば、プラスチック材等の伸縮性の少ない合成樹脂材を用いたものが挙げられる。
【００１７】
前記板状弾性部材は、前記パッド本体の前記一端面に配置されていることが好ましい。
【００１８】
前記板状弾性部材は、前記パッド本体における前記靴の履き口側に配置されていることが好ましい。
【００１９】
前記板状弾性部材は、前記パッド本体に取付けられ、該パッド本体の撓み変形に伴って変形する柔軟性を有する被覆部材によって被覆されていることが好ましい。
【００２０】
前記掛合体は、パッド本体の全域又は一部に固着された雄側の面状ファスナであることが好ましい。
【００２１】
以下、本考案に係る実施形態の靴用インナーパッド（以下「パッド」という）１を図面に基づいて説明する。本実施形態では、パッド１を使用する靴Ａとしてアイススケート靴を例示する。以下で説明する実施形態は、本考案を限定するものではない。
【００２２】
パッド１は、パッド本体２と、板状弾性部材３と、雄側の面状ファスナ（掛合体）４と、被覆部材５とが備えられている。
【００２３】
パッド本体２は、クロロプレン系発泡ゴム材等からなる撓み変形自在なものであり、靴Ａのサイズ補正ができると共に、クッション性を損なわない程度の厚みを有し、撓み変形により靴Ａの踵部内面Ａ１の形状に適合するように沿わせることができるシート状に形成されている。
【００２４】
また、パッド本体２は、下端側（靴底Ａ２側）の中央端部から上端側（履き口Ａ３側）へ向かって切れ込み部２０が形成されており、パッド１を踵部内面Ａ１に装着するときに、この切れ込み部２０を目印として、踵部内面Ａ１の周方向中央部に合わせながら、踵部内面Ａ１の周方向に沿って撓み変形できるようにされている。この切れ込み部２０によって、パッド１を踵部内面Ａ１の形状に沿って正確に撓ませて装着することができる。
【００２５】
パッド本体２には、靴Ａのつま先Ａ４側の端面２１の全域にカバーシート２Ａが配されている。カバーシート２Ａは、伸縮性及び柔軟性を有する薄い布地であり、パッド本体２の外形と適合するように端面２１に固着されている。
【００２６】
このカバーシート２Ａは、良好な履き心地の確保、パッド本体２の保護、パッド１の装飾等を行うためのものであり、足を直接パッド本体２に触れないようにすることで良好な履き心地を確保すると共に、パッド本体２の磨耗の抑制をすることができ、着色や模様を施すことで良好なデザイン性を確保することができる。このカバーシート２Ａの素材は、ジャージ、ニット等、伸縮性を有する薄い布地であればよい。
【００２７】
板状弾性部材３は、薄状のプラスチック材等から長方形に形成されたものであり、厚み方向の一端面３０を、パッド本体２の厚み方向の一端面であり、パッド本体２の踵部内面Ａ１側の端面２２に重ねるように固着されている。この板状弾性部材３は、長手方向をパッド本体２の幅方向（踵部内面Ａ１の周方向に沿わせる方向）に沿わせると共に、長手方向の縁部をパッド本体２の上端側（履き口Ａ３側）に沿わせるように配置されている。
【００２８】
この板状弾性部材３は、パッド本体２の撓み変形に伴って弾性変形し、この弾性変形から元の形状に復帰する弾性を有するものであり、平板状態（弾性変形前の状態）では、パッド本体２の平板状態（撓み変形前の状態）を保持し、パッド１を踵部内面Ａ１に装着する際に、パッド本体２が波打つような撓みを防止して、パッド本体２を確実に踵部内面Ａ１の周方向に沿わせて撓ませることができるようになっている。
【００２９】
また、板状弾性部材３をパッド本体２の上端側に配置したので、履き口Ａ３側に対応するパッド本体２の部位の強度を高くすることができる。このため、靴Ａの着脱時において、パッド１に踵の出し入れ時の引っ掛かりや摩擦等が生じても、パッド１の上下方向の折れ曲がりを防止することができる。
【００３０】
すなわち、この板状弾性部材３によって、装着されたパッド１の上下方向への折れ曲がりを防止することで、パッド１のずれを防止することができるので、靴Ａを容易、且つ確実に履くことができる。
【００３１】
面状ファスナ４は、多数の掛合体４０を有する雄側のものであり、端面２２のほぼ全域に固着されており、面状ファスナ４の掛合体４０が踵部内面Ａ１を含む靴Ａの内側に備えられた被掛合体６に掛合することで、パッド１を踵部内面Ａ１へ装着できるようにされている。
【００３２】
ここで、雄側の面状ファスナ４が掛合する被掛合体６について説明する。例示する靴Ａであるスケート靴には、通常、履き心地の確保及び保温ということから、起毛布地が備えられたクッション材Ｂが配されている。すなわち、このようなクッション材Ｂが配された靴Ａである場合、起毛布地を被掛合体６とすることができる。
【００３３】
また、クッション材Ｂには、起毛布地に換えて、面状ファスナ４の掛合体４０が掛合可能な網目の細かい網状体（図示せず）が配されているものもある。このようなクッション材Ｂでは、前述の網状体の網目を掛合体４０が掛合する被掛合体６とすることができる。
【００３４】
被掛合体６を構成する前述の起毛布地や網状体は、クッション材Ｂに備えたものに限らない。また、被掛合体６を構成する部材は、前述の起毛布地や網状体に限らない。
【００３５】
すなわち、パッド１は、掛合体４０を掛合させることができる部材（前述の起毛布地や網状体）を有する靴Ａであれば、靴Ａの種類にかかわらず装着することができる。このようなクッション材Ｂが配されている靴Ａとしては、例えば、ランニングシューズ、ウォーキングシューズ、ビジネスシューズ等が挙げられる。
【００３６】
被覆部材５は、板状弾性部材３を隠すように被覆するものであり、伸縮性及び柔軟性を有する薄い布地からなり、パッド本体２の履き口側Ａ３の端部を越えて、パッド本体２の端面２１から端面２２にわたるように配されており、パッド本体２に対して縫い付け又は接着することで固着されている。
【００３７】
この被覆部材５は、パッド本体２の履き口側Ａ３の端部を越えると共に、端面２１側における履き口側Ａ３の端部付近で、内側に丸めるように折り返してなる厚み部５０を形成し、端面２２側においては、板状弾性部材３の全体に被せるようにされ、且つ面状ファスナ４の下側に重なるように固着されている。
【００３８】
このようにした被覆部材５によると、パッド１を踵部内面Ａ１に装着した状態でパッド本体２の切り口部分を隠すことができる。また、靴Ａの着脱時において、パッド１に踵の出し入れ時の引っ掛かりや摩擦等が生じても、カバーシート２Ａの剥離を防止することができ、しかも、厚み部５０で踵を滑らせることによって、引っ掛かりの抑制や摩擦を軽減することができる。
【００３９】
以上のような構成のパッド１の踵部内面Ａ１への装着は、パッド本体２を踵部内面Ａ１に沿わせて撓ませながら、面状ファスナ４を踵部内面Ａ１と対面させ、面状ファスナ４の掛合体４０を被掛合体６に掛合させることで装着することができる。このとき、板状弾性部材３によってパッド本体２を撓ませる際の「よれ」を防止しているので、パッド本体２を確実に踵部内面Ａ１に沿わせて撓ませることができる。
【００４０】
このパッド１は、パッド本体２を踵部内面Ａ１から引き剥がすように引っ張ることで取り外すことができる。取り外されたパッド１は、板状弾性部材３の弾性によって元の平板状態に復帰するので、収納時においても嵩張ることなく整理することができる。
【００４１】
したがって、パッド１を踵部内面Ａ１に「よれ」なく確実に装着することができるので、靴Ａのサイズ補正を正常に行えると共に、踵部内面Ａ１の形状に合わせて貼り付けることが確実、且つ容易にできる。
【００４２】
しかも、踵部内面Ａ１に対する装着状態の保持性能を低下させることなく何度も着脱できる。これによって、踵部内面Ａ１へのパッド１の装着を確実、且つ容易にできると共に、靴Ａ内でのパッド１のずれを防止できる。
【００４３】
その上、パッド１の貼り直しを抑制できると共に、貼り直す場合にでも踵部内面Ａ１に対して確実に装着できる。
【００４４】
そして、複数足の靴Ａに対して１セットのパッド１による使い回しができると共に、不特定多数の人が履くレンタルのスケート靴のような靴Ａにも使用できる。
【００４５】
このパッド１は、靴Ａのサイズで異なる踵部内面Ａ１の高さや周長に応じた様々な高さや幅のものを用意してもよいし、対象となる靴Ａの種類に応じた様々な厚みのものを用意してもよい。
【００４６】
また、パッド１は、高さや幅のサイズを一種類として、靴Ａのサイズで異なる踵部内面Ａ１の高さや周長に応じたサイズに切断調整するようにしてもよい。この場合、切断の目印として切り取り線（図示せず）を設けてもよい。
【００４７】
尚、本考案は、例示した実施形態に限定するものではなく、実用新案登録請求の範囲の各項に記載された内容から逸脱しない範囲の構成による実施が可能である。
【符号の説明】
【００４８】
１：パッド（靴用インナーパッド）  ２：パッド本体  ３：板状弾性部材
４：面状ファスナ  ５：被覆部材  ６：被掛合体  ２２：端面（一端面）
３０：端面  ４０：掛合体  Ａ：靴  Ａ１：踵部内面  Ａ３：履き口
【図１】
0003183274.tif 000003
【図２】
0003183274.tif 000004
【図３】
0003183274.tif 000005
【図４】
0003183274.tif 000006